(57)【要約】      （修正有）【課題】中央部に貫通孔を有するガラス塊、特にとんぼ玉の製作において、従来の限定されたとんぼ玉の製作方法に対し、とんぼ玉作品の表現方法の自由度を拡大することができるガラス塊の提供。【解決手段】中央部に貫通孔２を有するガラス塊１の表面に、Ｖ字状の溝３，或いはＵ字状の溝、或いはけがき線を複数組み合わせて形成した絵、或いは模様、或いは文字からなる意匠部を形成したガラス塊。バーナーワークで形成されたとんぼ玉に対して、冷却後その表面に切子細工技術を用いて切子模様を形成、或いはグラスリッツェン描画技術を用いてけがき線による絵、或いは模様、或いは文字を形成して、追加工による意匠部をもったとんぼ玉、つまりガラス塊とすることができる。【選択図】図２
0003131061.tif 000002
【実用新案登録請求の範囲】
【請求項１】
中央部に貫通孔を有するガラス塊の表面に、Ｖ字状の溝、或いはＵ字状の溝、或いはけがき線を複数組み合わせて形成した絵、或いは模様、或いは文字からなる意匠部を形成したことを特徴とするガラス塊
【考案の詳細な説明】
【技術分野】
【０００１】
本考案は、中央部に貫通孔を有するガラス塊に関し、特にその表面に特殊な意匠または装飾を施して、ガラス塊の美術品としての表現方法の自由度を拡大したガラス塊に関するものである。
【背景技術】
【０００２】
従来の中央部に貫通孔を有するガラス塊のうち、特にとんぼ玉の製作方法については、例えば、非特許文献１に紹介されている。とんぼ玉は非特許文献１で説明されている通り、単色あるいは複数色のガラスをバーナーの炎で軟化させ、ステンレス棒等の巻き取り棒に巻き取り、玉状に形成し、冷却後、巻き取り棒を抜き取り、巻き取り棒が抜けた部分が貫通孔となり、この貫通孔にひも等を通すことにより、ネックレス、ブレスレット、ストラップ等のアクセサリに仕上げることのできる、装飾用のパーツである。またアクセサリとして組み立てずに、とんぼ玉単体としても、美術品としての価値のあるものである。
【０００３】
複数色のガラスを使用する場合には、各色のガラス棒をバーナーの炎で軟化させ、巻き取り棒に巻いていき球形に形成していく課程で各色を的確に組み合わせること、すなわちバーナーワークにより、色の組み合わせのコントラストで模様を形成していく。球形或いは繭形のとんぼ玉は、ガラスが軟化している状態で巻き取り棒を軸方向に回転させることにより、ガラスの軟化状態での表面張力及び重力で、球形或いは繭形が形成される。また球形或いは繭形から逸脱した形状の変形とんぼ玉は、巻き取り棒に巻き取られたガラスがまだ軟化している状態で、物理的な力を加えることにより、所定の形状を形成していく。或いは、巻き取り棒にガラスを巻き取っていく課程で、肉厚を不均一にする、或いは部分的に肉盛りをすることによって、所定の形状を形成していく。
【０００４】
従来のとんぼ玉の製作方法では、上述の通り、変形とんぼ玉の製作ではガラスが軟化している状態で、物理的な力を加える、肉厚を不均一にする、部分的に肉盛りをすることによって、所定の形状を形成していくが、この場合、得られた形状の角部は鋭角な角部とすることはできず、ある程度の丸みを持った角部となってしまい、形状の形成は制限されたものとなってしまう。
【０００５】
【非特許文献１】佐竹ガラス  監修  「バーナーで作る手作りとんぼ玉の本」  河出書房新社  出版、２００４年１０月３０日、p１４−３１
【考案の開示】
【考案が解決しようとする課題】
【０００６】
従来、とんぼ玉の製作者はバーナーワークにおける技術を駆使して作品を作り上げているが、高度な職人技となるバーナーワークにおける技術に卓越している反面、本考案で挙げる切子細工技術やグラスリッツェン描画技術のような、他の高度な職人技となる技術を同時に習得する機会が少ない。とんぼ玉は美術品としての性格が強く、製作者が最初から最後まで一人で製作することがほとんどで、バーナーワークに卓越した製作者がバーナーワークのみでとんぼ玉を製作するというのが、常識的な通念となっている。このため、バーナーワークで形状を形成後、追加工によりとんぼ玉の表面に絵、模様、文字を形成するということは一般的ではなく、本考案で提案するように追加工として切子細工加工、或いはグラスリッツェン描画技術によりとんぼ玉の表面に絵、模様、文字を形成するという発想はこれまで生じなかった。
【０００７】
バーナーワークで形状を形成後、追加工により所定の形状を得た例としては、とんぼ玉の表面に平面研磨を施したものが見受けられる。ただしこれらは平面研磨自体で積極的に模様を形成させたものではなく、作品全体の形状に対してマクロ的な変化を持たせることを目的としたものである。
【０００８】
以上の通り、従来のとんぼ玉の製作に用いられる技術は限定的なものであり、作品の表現方法の可能性としてはこの技術の範囲内に留まったものとなる。
【０００９】
以上はこれまでとんぼ玉を製作してきた側の観点から述べてきたが、逆に切子細工、グラスリッツェンを製作してきた側の観点からも同様のことがいえる。これらは従来、皿、コップ、花瓶等のガラス製品の表面に加工を施すものが一般的で、それぞれが高度な職人技を要する反面、製作者が同様に高度な職人技を要するとんぼ玉製作技術を習得する機会は少ない。切子製品、グラスリッツェン製品も美術品としての性格が強く、一人が一貫して一作品を製作する傾向の強い美術品製作において、とんぼ玉の表面に切子細工技術、或いはグラスリッツェン描画技術により絵、模様、文字を形成するという発想はこれまで生じなかった。
【課題を解決するための手段】
【００１０】
本考案は、バーナーワークで形成されたとんぼ玉に対して、冷却後その表面に切子細工技術を用いた切子模様を形成、あるいはグラスリッツェン描画技術を用いたけがき線による絵、模様、文字を形成して、とんぼ玉作品の表現方法の可能性を広げることを目的としたものである。即ち、本考案は、請求項１に示す、中央部に貫通孔を有するガラス塊の表面に、Ｖ字状の溝、或いはＵ字状の溝、或いはけがき線を複数組み合わせて形成した絵、或いは模様、或いは文字からなる意匠部を形成したことを特徴とするガラス塊を提供するものである。ここで本考案における中央部に貫通孔を有するガラス塊とは、バーナーワークで形成されたとんぼ玉、塊状のガラスの中央部に機械加工により貫通孔をあけたガラス塊が含まれる。使用するガラスの色としては単色でも、複数の色を組み合わせたものでもよく、その色の選択および各色の配置位置は任意である。形状についてもその大きさ、形の種類についてバーナーワークで形成可能な限り任意である。また中央部の貫通孔は厳密に幾何学的な中心にある必要はなく、中心からずれていてもよい。
【００１１】
切子細工技術は、古くから江戸切子、薩摩切子等の伝統工芸でみられる通り、皿、コップ、花瓶等のガラス製品の表面にＶ字状の溝、或いはＵ字状の溝を研削加工で形成し、多数の溝を組み合わせて配置することにより、和風の趣を持った文様を付ける技術である。この加工をとんぼ玉の表面に施すことにより、従来の江戸切子、薩摩切子と同様に和風の趣をとんぼ玉に持たせることが可能となる。また研削加工を行うことで、溝の角部が鋭角となるために、角部が多数存在した場合、バーナーワークで形成した丸みを持った角部と比較して、より反射光がまばゆく煌めくような形状を提供することができる。
【００１２】
グラスリッツェン描画技術はドイツで生まれた技法で、皿、コップ、花瓶等のガラス製品の表面にダイアモンド針で引っ掻き傷を入れ、そのけがき線で絵、模様、文字を描き、西洋風の趣をもった製品を提供する技術である。この加工をとんぼ玉の表面に施すことにより、様々な意匠を配置して、西洋風の趣を持たせることができる。またバーナーワークでは色の異なるガラスの組み合わせにより、模様を表現することになるが、ガラスを溶かしながらの作業となるため、描画が可能となる図柄には制限がある。それに対して、グラスリッツェン描画技術では図柄に制限はなく、自由な描画をすることができる。
【考案の効果】
【００１３】
本考案は、バーナーワークで形成されたとんぼ玉に対して、冷却後その表面に切子細工技術を用いた切子模様を形成、あるいはグラスリッツェン描画技術を用いた引っ掻き傷のけがき線による絵、或いは模様、或いは文字を形成することにより、従来の限定的なとんぼ玉の製作方法に比較して、とんぼ玉作品の表現方法の自由度を広げることが可能となる。
【考案を実施するための最良の形態】
【００１４】
図面を使って、本考案の実施の形態を説明する。本実施の形態は、ガラス塊としてとんぼ玉を使用した例を示している。
【００１５】
図１はベースとなるとんぼ玉の基本的な形状の一例を示した図で、球形のとんぼ玉の断面図を表す。とんぼ玉の基本的な形状はとんぼ玉本体となる球形のガラス部分１と巻き取り棒を抜き取った後にできる貫通孔２から構成される。使用するガラスの色としては単色でも、複数の色を組み合わせたものでもよく、その色の選択および各色の配置位置は任意である。ここでは球形のとんぼ玉について例を挙げているが、形状についてもその大きさ、形の種類についてバーナーワークで形成可能な限り任意である。また貫通孔２は厳密に幾何学的な中心にある必要はなく、中心からずれていてもよい。
【００１６】
このバーナーワークで形成されたとんぼ玉に対して、冷却後その表面に切子細工技術を用いて切子模様を形成、或いはグラスリッツェン描画技術を用いてけがき線による絵、或いは模様、或いは文字を形成して、追加工による意匠部をもったとんぼ玉を製作することを実現した。
【実施例１】
【００１７】
図２は図１に示す球形のとんぼ玉の表面に複数のＶ字状の溝３を形成して切子模様を描いたとんぼ玉の外観の一例を示した図である。図３はＶ字状の溝３の断面を示す。Ｖ字状の溝３は切子細工加工の技術に基づいて形成する。グラインダ型の研削装置に円周面がＶ字状に角張ったダイアモンドディスクを装着し、とんぼ玉の表面に回転させたダイアモンドディスクの円周面を当てがい、Ｖ字状の溝を研削形成していく。研削面はダイアモンドディスクのダイアモンド粒度を徐々に細かくしていき、最終的には研磨剤を用いて鏡面研磨していくが、研磨をせずに研削面が曇ったままの状態でもよい。また溝の断面形状についても、Ｕ字状の溝等、任意である。これはダイアモンドディスクの円周面の形状を変えることにより、所定の溝形状を得ることができる。切子模様としては、江戸切子、薩摩切子で用いる文様をとんぼ玉に応用すればよいが、溝の入れ方は任意であり、図４に示す例のようにＶ字状の溝による単純な星型形状の模様４をワンポイントで配置してもよい。
【実施例２】
【００１８】
図５は図１に示す球形のとんぼ玉の表面にグラスリッツェン描画技術を用いて、象の図柄５を描いた一例を示した図である。とんぼ玉の表面にダイアモンド針で引っ掻いてけがき線を形成し、その線の集合体で図柄を表現する。図柄としては事物の絵、模様、文字等なんでもよく、作者の任意である。
【図面の簡単な説明】
【００１９】
【図１】ベースとなるとんぼ玉の基本的な形状を示した図である。
【図２】本考案の、とんぼ玉の表面に複数のＶ字状の溝を形成して切子模様を描いたとんぼ玉の外観の一例を示した図である。
【図３】Ｖ字状の溝の断面図である。
【図４】本考案の、とんぼ玉の表面に単純な星型形状の模様をワンポイントで配置したとんぼ玉の外観の一例を示した図である。
【図５】本考案の、とんぼ玉の表面にグラスリッツェン描画技術を用いて、象の図柄を描いた一例を示した図である。
【符号の説明】
【００２０】
１  球形のガラス部分
２  貫通孔
３  Ｖ字状の溝
４  星型形状の模様
５  象の図柄
【図１】
0003131061.tif 000003
【図２】
0003131061.tif 000004
【図３】
0003131061.tif 000005
【図４】
0003131061.tif 000006
【図５】
0003131061.tif 000007